(57)【要約】【課題】  重心位置の調整を簡単に行なえるカウンターウエイト構造を提供する。【解決手段】  フォークリフトのカウンターウエイト構造体１を上下２分割の上下部カウンターウエイト２、３から構成するとともに、上部カウンターウエイト２を相対的に比重が小さい材料である、例えば鋼板製の箱状外壁部材およびその内部に充填したコンクリートから構成し、下部カウンターウエイト３を相対的に比重が大きい材料である、例えば鋳物から構成する。また、上部カウンターウエイト２を、左右両側部から車両前方に張り出す左右一対の張出部２０を有する平面視Ｕ字状の部材とし、下部カウンターウエイト３を上部カウンターウエイト２の中央部から下方に延設する。【選択図】  図１
2010030733.tif 000002
【特許請求の範囲】
【請求項１】
産業車両のカウンターウエイト構造であって、
カウンターウエイトが上下２分割の上下部カウンターウエイトを備え、
前記上部カウンターウエイトを相対的に比重が小さい材料から構成し、前記下部カウンターウエイトを相対的に比重が大きい材料から構成するようにした、
ことを特徴とする産業車両のカウンターウエイト構造。
【請求項２】
請求項１において、
前記下部カウンターウエイトが鋳物製である、
ことを特徴とする産業車両のカウンターウエイト構造。
【請求項３】
請求項１または２において、
前記上部カウンターウエイトが、金属製の箱状外壁部材と、その内部に充填されたコンクリートとから構成されている、
ことを特徴とする産業車両のカウンターウエイト構造。
【請求項４】
請求項１ないし３のいずれかにおいて、
前記上部カウンターウエイトが、左右両側部から車両前方に張り出す左右一対の張出部を有する平面視Ｕ字状の部材であって、前記下部カウンターウエイトが前記上部カウンターウエイトの中央部から下方に延びている、
ことを特徴とする産業車両のカウンターウエイト構造。
【請求項５】
請求項１において、
当該産業車両がフォークリフトである、
ことを特徴とする産業車両のカウンターウエイト構造。
【発明の詳細な説明】
【技術分野】
【０００１】
本発明は、フォークリフト等の産業車両のためのカウンターウエイト構造に関する。
【背景技術】
【０００２】
フォークリフトやショベルローダ等の産業車両においては、車両後部にカウンターウエイトが設けられている。大型の産業車両や荷揚能力の大きな産業車両の場合、カウンターウエイトとして大形のものが必要になるが、大形のカウンターウエイトを単体で製作するのは容易ではない。
【０００３】
そこで、特開２００４−３３８８２１号公報の図１および図２に示すように、カウンターウエイトを上下２つのウエイト部材から構成してこれらの部材を組み合わせることにより、全体としてカウンターウエイトを大型化することが行なわれている。
【０００４】
しかしながら、前記従来のカウンターウエイト構造では、大型のカウンターウエイトを製作するのに、少なくとも２つの部材を組み合わせるという観点のみから考案されており、カウンターウエイト全体が車両に与える影響（例えば重心位置）については、単体のカウンターウエイトの場合と同じである。
【特許文献１】特開２００４−３３８８２１号公報（図１および図２参照）
【発明の開示】
【発明が解決しようとする課題】
【０００５】
本発明は、このような従来の実情に鑑みてなされたものであり、本発明が解決しようとする課題は、重心位置の調整を簡単に行なえる産業車両用カウンターウエイト構造を提供することにある。
【課題を解決するための手段】
【０００６】
請求項１の発明に係る産業車両用カウンターウエイト構造は、カウンターウエイトが上下２分割の上下部カウンターウエイトを備えており、上部カウンターウエイトが相対的に比重の小さな材料から構成され、下部カウンターウエイトが相対的に比重の大きな材料から構成されている。
【０００７】
請求項１の発明によれば、互いに比重が異なる材料からなる上下部カウンターウエイトからカウンターウエイトを構成するようにしたので、各カウンターウエイトの比重の差によって、カウンターウエイト全体の重心の位置の調整を簡単に行なえるようになる。この場合、上部カウンターウエイトの比重を下部カウンターウエイトの比重に近づけると、カウンターウエイト全体の重心位置は上方に移動し、これとは逆に、上部カウンターウエイトの比重を下部カウンターウエイトの比重よりも小さくすると、カウンターウエイト全体の重心位置は下方に移動する。
【０００８】
請求項２の発明では、下部カウンターウエイトが鋳物製であり、請求項３の発明では、上部カウンターウエイトが金属製の外壁部材およびその内部に充填されたコンクリートから構成されている。
【０００９】
請求項４の発明では、上部カウンターウエイトが、左右両側部から車両前方に張り出す左右一対の張出部を有する平面視Ｕ字状の部材であって、下部カウンターウエイトが上部カウンターウエイトの中央部から下方に延びている。
【００１０】
この場合には、上部カウンターウエイトから車両前方に張り出す各張出部を有していることで、上部カウンターウエイトの重心位置を車両前方に移動させることができ、これにより、カウンターウエイト全体の重心位置を同様に車両前方に移動させることができる。
【００１１】
請求項５の発明では、当該産業車両がフォークリフトである。
【発明の効果】
【００１２】
以上のように本発明によれば、カウンターウエイトを上下２分割の上下部カウンターウエイトから構成するとともに、上部カウンターウエイトを相対的に比重の小さな材料から構成し、下部カウンターウエイトを相対的に比重の大きな材料から構成するようにしたので、各カウンターウエイトの比重の差によって、カウンターウエイト全体の重心の位置の調整を簡単に行なえるようになる。この場合、上部カウンターウエイトの比重を下部カウンターウエイトの比重に近づけると、カウンターウエイト全体の重心位置は上方に移動し、これとは逆に、上部カウンターウエイトの比重を下部カウンターウエイトの比重よりも小さくすると、カウンターウエイト全体の重心位置は下方に移動する。
【発明を実施するための最良の形態】
【００１３】
以下、本発明の実施例を添付図面に基づいて説明する。
図１ないし図５は、本発明の一実施例による産業車両用カウンターウエイト構造を説明するための図であって、図１は本実施例によるカウンターウエイトの全体斜視図、図２は上部カウンターウエイトの平面図、図３は上部カウンターウエイトの正面図、図４は下部カウンターウエイトの平面図、図５は下部カウンターウエイトの正面図である。図１中、右方が車両の前方を示し、左方が車両の後方を示している。
【００１４】
図１に示すように、このカウンターウエイト構造体１は、上方に配置された上部カウンターウエイト２と、その下方に配置され、上部カウンターウエイト２に取り付けられる下部カウンターウエイト３とから構成されている。
【００１５】
上部カウンターウエイト２は、中央の凹状空間２Ａを隔てて左右両側からそれぞれ前方に張り出す一対の張出部２０と、これらの張出部２０の後端側を連結する連結部２１とを有している。上部カウンターウエイト２は、平面視略コ字状に形成されている。
【００１６】
上部カウンターウエイト２は、その上下面および側面に金属板（例えば鋼板）を箱状に配設して、これらを溶接等で互いに固着することにより構成されている。このため、上部カウンターウエイト２の内部は空洞になっており、この空洞の領域のすべてにコンクリートが充填されている。
【００１７】
上部カウンターウエイト２の各張出部２０の内部には、図２に示すように、隔壁部材２０ａ、２０ｂがそれぞれ配設されている。隔壁部材２０ａは各張出部２０の前方側に配置され、隔壁部材２０ｂは各張出部の２０の後方側に配置されている。上部カウンターウエイト２の各張出部２０の内部には、各隔壁部材２０ａ、２０ｂにより仕切られた隔室が形成されており、この例では、すべての隔室にコンクリートが充填されている。
【００１８】
上部カウンターウエイト２の連結部２１の下面の中央には、載頭円錐台形状の凹部２１ａが形成されている。
【００１９】
下部カウンターウエイト３は、上部カウンターウエイト２の連結部２１から下方に延びる部材であって、鋳物製である。下部カウンターウエイト３の上面には、図４および図５に示すように、載頭円錐台形状の凸部３０が一体に設けられている。凸部３０は、上部カウンターウエイト２の凹部２１ａの相補的形状を有しており、凹部２１ａに係合し得るようになっている。
【００２０】
一般に、鋳物の比重は７．２前後であり、これに対して、コンクリートの比重はその１/３程度である。このため、上部カウンターウエイト２の比重は、下部カウンターウエイト３の比重に比べてかなり小さくなっている。
【００２１】
次に、本実施例の作用効果について説明する。
コンクリートがその内部に充填された上部カウンターウエイト２は、鋳物製の下部カウンターウエイト３に組み付けられる。このとき、下部カウンターウエイト３上面の凸部３０が上部カウンターウエイト２下面の凹部２１ａに係合することにより、上下部カウンターウエイト２、３が一体化される。
【００２２】
この場合には、下部カウンターウエイト３とは比重の異なる上部カウンターウエイト２を用いることようにしたことで、カウンターウエイト構造体全体の重心の位置の調整を簡単に行なえるようになる。
【００２３】
すなわち、この例では、上部カウンターウエイト２の比重が下部カウンターウエイト３の比重の数分の一程度になっているので、上部カウンターウエイト２を下部カウンターウエイト３と同様に鋳物で製作したものに比べて、カウンターウエイト構造体全体の重心位置を下方に移動させることができる。なお、これとは逆に、上部カウンターウエイト２として、下部カウンターウエイト３の比重に近い比重を有する材料を用いると、カウンターウエイト全体の重心位置は上方に移動する。
【００２４】
また、この場合には、上部カウンターウエイト２が、車両前方に張り出す各張出部２０を有していることで、上部カウンターウエイト２の重心位置を車両前方に移動させることができ、これにより、カウンターウエイト全体の重心位置を同様に車両前方に移動させることができる。
【００２５】
なお、前記実施例では、上部カウンターウエイト２の内部空間のすべての領域にコンクリートが充填された例を示したが、本発明の適用はこれに限定されない。図６に示すように、上部カウンターウエイト２の張出部内部の隔壁２０ａから先端の部分までの領域を空洞にして、それ以外のすべて領域（同図斜線領域）にコンクリートを充填するようにしてもよく、あるいは、図７に示すように、上部カウンターウエイトの内部の隔壁２０ｂから先端の部分までの領域を空洞にして、それ以外のすべて領域（同図斜線領域）にコンクリートを充填するようにしてもよい。
【００２６】
このように、上部カウンターウエイト２に対してコンクリートの充填量を変えることによって、上部カウンターウエイト２の重心位置を変えることができ、これにより、カウンターウエイト構造体１の重心位置をさらに細かく調整できるようになる。
【図面の簡単な説明】
【００２７】
【図１】本発明の一実施例によるカウンターウエイトの全体斜視図である。
【図２】上部カウンターウエイトの平面図である。
【図３】上部カウンターウエイトの正面図である。
【図４】下部カウンターウエイトの平面図である。
【図５】下部カウンターウエイトの正面図である。
【図６】本発明の他の実施例による上部カウンターウエイトの平面概略図である。
【図７】本発明のさらに他の実施例による上部カウンターウエイトの平面概略図である。
【符号の説明】
【００２８】
１：  カウンターウエイト構造体
２：  上部カウンターウエイト
２０：  張出部
３：  下部カウンターウエイト
【図１】
2010030733.tif 000003
【図２】
2010030733.tif 000004
【図３】
2010030733.tif 000005
【図４】
2010030733.tif 000006
【図５】
2010030733.tif 000007
【図６】
2010030733.tif 000008
【図７】
2010030733.tif 000009